(57)【要約】【課題】  アンテナの切り替えによって生じるノイズを確実に防止することの可能な、無線受信機を提供する。【解決手段】  受信機１６では、復調部３４が「受信したブロックデータに異常がある」と判断した場合に、エラー確認部３７が、まず、Ｄ／Ａ変換部３５によるＤ／Ａ変換を停止する。次に、エラー確認部３７が、アンテナ制御部３８，アンテナ切り替え部３１を介して受信に使用するアンテナを切り替え、その後、Ｄ／Ａ変換部３５によるＤ／Ａ変換を再開する。このように、受信機１６では、アンテナを切り替えるときには、Ｄ／Ａ変換を停止する。これにより、アンテナの切り替え時に生じるブロックデータの破壊によってノイズが発生しても、このノイズの出力を確実に防止することが可能となっている。【選択図】  図１
2006081035.tif 000002
【特許請求の範囲】
【請求項１】
複数のアンテナを備え、外部から送信されたディジタルのブロックデータをいずれかのアンテナを用いて受信し、受信したブロックデータをアナログ信号に変換する無線受信機において、
受信したブロックデータをＤ／Ａ変換してアナログ信号を出力する変換部と、
受信したブロックデータにおける異常の有無を検知する検知部と、
制御部とを備えており、
この制御部は、
受信したブロックデータに異常があると検知部によって判断された場合、
まず、変換部によるＤ／Ａ変換を停止し、
次に、受信に使用するアンテナを切り替え、
その後、変換部によるＤ／Ａ変換を再開する、ように設定されていることを特徴とする無線受信機。
【請求項２】
上記の制御部は、
受信したブロックデータに異常がないと検知部によって判断されたときに、
変換部によるＤ／Ａ変換を再開するように設定されていることを特徴とする請求項１に記載の無線受信機。
【請求項３】
上記の制御部は、
異常のあるブロックデータを受信してから異常のないブロックデータを受信するまでの間、アンテナを１回だけ切り替えるように設計されていることを特徴とする請求項２に記載の無線受信機。
【請求項４】
上記の制御部は、
アンテナの切り替えを、ブロックデータの隙間時間に行うようになっていることを特徴とする請求項１に記載の無線受信機。
【請求項５】
上記の制御部は、
変換部によるＤ／Ａ変換の再開を、ブロックデータの隙間時間に行うようになっていることを特徴とする請求項４に記載の無線受信機。
【請求項６】
複数のアンテナを備え、いずれかのアンテナを用いて外部から送信されたディジタルのブロックデータを受信し、受信したブロックデータをアナログ信号に変換する無線受信機において、
受信したブロックデータをＤ／Ａ変換してアナログ信号を出力する変換部と、
受信したブロックデータの異常の有無を検知する検知部と、
制御部とを備えており、
この制御部が、
受信したブロックデータに異常があると検知部によって判断された場合、
ブロックデータの隙間時間に、受信に使用するアンテナを切り替えるように設計されていることを特徴とする無線受信機。
【請求項７】
上記の制御部は、
受信したブロックデータに異常があると検知部によって判断された場合、
まず、変換部によるＤ／Ａ変換を停止し、
次に、上記の隙間時間に、受信に使用するアンテナを切り替え、
その後、変換部によるＤ／Ａ変換を再開する、ように設定されていることを特徴とする請求項６に記載の無線受信機。
【請求項８】
上記の制御部は、
変換部によるＤ／Ａ変換の停止を、ブロックデータの隙間時間に行うようになっていることを特徴とする請求項７に記載の無線受信機。
【請求項９】
上記の制御部は、
変換部によるＤ／Ａ変換の再開を、ブロックデータの隙間時間に行うようになっていることを特徴とする請求項７に記載の無線受信機。
【請求項１０】
ブロックデータを送信する送信機と、
請求項１あるいは請求項６に記載の無線受信機とを備えた通信システム。
【請求項１１】
請求項１０に記載の通信システムを備えたサラウンドシステム。
【請求項１２】
外部から送信されたディジタルのブロックデータを、複数のアンテナのいずれかを用いて受信し、受信したブロックデータをアナログ信号に変換する無線受信方法において、
受信したブロックデータにおける異常の有無を検知する検知工程と、
受信したブロックデータをＤ／Ａ変換してアナログ信号を出力する変換工程と、
受信したブロックデータに異常があると判断された場合に、受信動作を制御する制御工程とを含んでおり、
この制御工程では、
変換部によるＤ／Ａ変換を停止する変換停止工程と、
受信に使用するアンテナを切り替える切り替え工程と、
変換部によるＤ／Ａ変換を再開する変換再開工程とが、この順で実施されることを特徴とする無線受信方法。
【請求項１３】
外部から送信されたディジタルのブロックデータを、複数のアンテナのいずれかを用いて受信し、受信したブロックデータをアナログ信号に変換する無線受信方法において、
受信したブロックデータにおける異常の有無を検知する検知工程と、
受信したブロックデータをＤ／Ａ変換してアナログ信号を出力する変換工程と、
受信したブロックデータに異常があると判断された場合に、受信動作を制御する制御工程とを含んでおり、
この制御工程では、
ブロックデータの隙間時間に、受信に使用するアンテナを切り替える切り替え工程が実施されることを特徴とする無線受信方法。
【発明の詳細な説明】
【技術分野】
【０００１】
本発明は、複数のアンテナを用いてディジタルデータを受信し、受信したディジタルデータをアナログ信号に変換する、無線受信機に関するものである。
【背景技術】
【０００２】
ディジタルワイアレス方式で音声信号を送受信するシステムは、ノイズの少ない高音質の音声を再生できるシステムである。
このようなシステムは、例えば、サラウンドシステムや、移動通信，コードレスヘッドフォンなどに用いられており、例えば、特許文献１・２に記載されている。
【０００３】
このシステムでは、基本的に、送信機にＡ／Ｄコンバーターを、また、受信機にＤ／Ａコンバーターを設けている。
そして、送信機によって、入力された外部アナログ信号をディジタル化し、その信号をブロックデータとしてシリアル送信する。さらに、受信機が、ブロックデータをシリアル受信してＤ／Ａ変換し、アナログ信号に復元するように設計されている。
【特許文献１】特開平２−１９２３３０号公報（公開日；１９９０年７月３０日）
【特許文献２】特開２００２−１９８８７９号公報（発行日；２００２年７月１２日）
【発明の開示】
【発明が解決しようとする課題】
【０００４】
ところで、ディジタルワイアレス方式で信号を受信する場合、一般的に、他の電子機器から発生する輻射電波を受信してしまうことがある。また、送信機から出力されるデータが、壁，天井，屋根などにある周囲の金属部等により反射・吸収される場合もあり、このようなときには、ブロックデータが破壊された状態となり、データを正常に受信できずに受信エラーが発生する。
【０００５】
そこで、上記のような外乱（周囲環境）による受信エラーに対応するために、受信機に複数のアンテナ設け、受信エラーの発生時に受信アンテナを切り替える、ダイバーシティ方式（アンテナ切り替え方式）が取られている場合が多い。
【０００６】
しかし、ダイバーシティ方式では、ブロックデータ信号の受信中にアンテナを切り替えると、一塊（ひとかたまり）のブロックデータを寸断してしまうことになり、ブロックデータが破壊される。このため、正常な波形再生を行えずに、ノイズ（バツ音）を発生してしまう。
さらに、この場合、受信したブロックデータが壊れていると判断して受信エラーと判定し、再度もう一方のアンテナに切り替える、というシーソー状態の起こることもある。
【０００７】
そして、このようなシーソー状態は、アンテナの切り替えが偶然にブロックデータ間で行われるときまで継続される。このため、上記のノイズが連続的に発生することとなる。
【０００８】
そこで、このような連続ノイズを消すため、アンテナの切り替え時、Ｄ／Ａ変換した再生アナログ信号の再生出力をミュートする方法がある。
しかしながら、アンテナの切り替えによってブロックデータが壊れた場合、データのアナログ信号化を、正常なレベルで行えないこともある。従って、本来より異常に大きな音量のアナログ信号（ノイズ）が生成されてしまうこともあり、このようなノイズについては、ミュートをかけるだけで十分に消去することは困難である。
【０００９】
すなわち、ミュートは、Ｄ／Ａコンバータからのアナログ信号（オーディオ出力）を減衰させるだけであるため、完全に音を遮断することはできない。このため、アナログ信号のレベルが非常に大きい場合、これを減衰しても、十分にレベルを落としきれない。
【００１０】
本発明は、上記のような従来の問題点に鑑みてなされたものである。そして、その目的は、アンテナの切り替えによって生じるノイズを確実に防止することの可能な、無線受信機を提供することにある。
【課題を解決するための手段】
【００１１】
上記の目的を達成するために、本発明の第１の無線受信機（第１受信機）は、
複数のアンテナを備え、外部から送信されたディジタルのブロックデータをいずれかのアンテナを用いて受信し、受信したブロックデータをアナログ信号に変換する無線受信機において、
受信したブロックデータをＤ／Ａ変換してアナログ信号を出力する変換部と、
受信したブロックデータにおける異常の有無を検知する検知部と、
制御部とを備えており、
この制御部は、
受信したブロックデータに異常があると検知部によって判断された場合、
まず、変換部によるＤ／Ａ変換を停止し、
次に、受信に使用するアンテナを切り替え、
その後、変換部によるＤ／Ａ変換を再開する、ように設定されていることを特徴としている。
【００１２】
第１受信機は、複数のアンテナを切り替えながら受信を行う、いわゆるダイバーシティ方式の無線受信機である。そして、この第１受信機にデータを送信する送信機とともに、サラウンドシステムに適用されるようなディジタルワイアレス通信を行うために用いられるものである。
【００１３】
すなわち、第１受信機は、外部の送信機オーディオ信号などのディジタル信号を無線受信し、このディジタル信号をＤ／Ａ変換することによって、スピーカーなどによって再生することの可能なアナログ信号を生成して出力するものである。
【００１４】
また、特に、第１受信機では、ディジタルのブロックデータを受信するようになっている。このブロックデータは、一塊のディジタル信号からなり、所定の隙間時間だけ間隔を開けられた状態で、所定周期で連続的に送信されるものである。
このため、第１受信機は、受信したブロックデータをＤ／Ａ変換してアナログ信号を生成・出力する、変換部を備えている。
【００１５】
また、第１受信機は、変換部によって受信されたブロックデータに関し、その異常の有無を検知する検知部を備えている。
ここで、異常のあるブロックデータとは、外乱（周囲環境）などの影響により、データの一部が破壊されているものである。
また、ブロックデータの異常は、外乱だけでなく、アンテナの切り替えによるデータ破壊に起因することもある（ブロックデータの受信途中にアンテナを切り替えると、そのブロックデータを破壊してしまう）。
【００１６】
また、特に、第１受信機は、「受信したブロックデータに異常がある」と検知部によって判断された場合に、受信動作を制御する制御部を備えている。
そして、この制御部は、ブロックデータに異常のある場合、まず、変換部によるＤ／Ａ変換を停止するようになっている。
次に、制御部は、受信に使用するアンテナを切り替え、その後、変換部によるＤ／Ａ変換を再開するように設定されている。
【００１７】
このように、第１受信機では、アンテナを切り替えるときには、Ｄ／Ａ変換を停止するようになっている。これにより、アンテナの切り替え時に生じるブロックデータの破壊によってノイズが発生しても、このノイズの出力を確実に防止することが可能となっている。
【００１８】
ところで、通常、外乱によるブロックデータの異常については、アンテナを切り替えるだけで解決できることが多いが、これだけでは解決されないこともある。
従って、アンテナの切り替え後にＤ／Ａ変換を再開すると、切り替え後に受信した異常のあるブロックデータのために、一瞬だけ（再びＤ／Ａ変換を停止するまでの間だけ）、ノイズを発生してしまうことも考えられる。
【００１９】
そこで、第１受信機では、制御部は、「受信したブロックデータに異常がみられない」と検知部によって判断されたときに、変換部によるＤ／Ａ変換を再開するように設定されていることが好ましい。
これにより、アンテナの切り替えに後に発生する上記のようなノイズを、確実に防止できる。
【００２０】
また、この構成では、制御部は、異常のあるブロックデータを受信してから、正常な（異常のない）ブロックデータを受信するまでの間、アンテナを１回だけ切り替えるように設計されていることが好ましい。
【００２１】
すなわち、従来技術欄において記載したように、ブロックデータの受信途中にアンテナの切り替えを行った場合、ブロックデータを破壊してしまうこととなる。従って、この場合、受信したブロックデータに異常があると判断され、再度もう一方のアンテナに切り替える、というシーソー状態の起こることもある。
【００２２】
ここで、このようなシーソー状態は、アンテナの切り替えが偶然にブロックデータ間で行われるときまで継続される。従って、この状態は、非常に長い時間（例えば０．数秒〜数秒）の停滞状態を招来する可能性がある。
【００２３】
そこで、上記のように、制御部は、アンテナをいったん切り替えた後、正常なブロックデータを受信するまで、アンテナの切り替えを行わないことが好ましい。この場合、１度のアンテナ切り替えによってブロックデータを破壊してしまっても、この破壊に伴うアンテナの再切り替えを防止できる。
【００２４】
従って、この構成では、アンテナ切り替えによって破損したデータの直後に送られてきたブロックデータの受信中では、アンテナ切り替えを行わない。従って、このブロックデータに異常のない場合には、Ｄ／Ａ変換が再開されることとなる。
このように、この構成では、上記のようなシーソー状態（アンテナの切り替え連鎖状態）を回避できるので、Ｄ／Ａ変換を迅速に再開することが可能となる。
【００２５】
また、第１受信機では、制御部が、アンテナの切り替えを、上記したブロックデータの隙間時間（ブロックデータを受信していない間）に行うことが好ましい。
この場合、アンテナの切り替えによるブロックデータの破壊を確実に回避できる。このため、上記のようなシーソー状態を招来することがない。従って、アンテナの切り替えによって外乱によるトラブルを解決できた場合には、Ｄ／Ａ変換を迅速に再開できるようになっている。
【００２６】
また、この構成では、制御部は、Ｄ／Ａ変換の再開も、ブロックデータの隙間時間に行うことが好ましい。
この構成では、アンテナの切り替え直後、ブロックデータを先頭からＤ／Ａ変換できる。このため、このブロックデータを正常にアナログ変換できる。
【００２７】
また、本発明の第２の無線受信機（第２受信機）は、
複数のアンテナを備え、いずれかのアンテナを用いて外部から送信されたディジタルのブロックデータを受信し、受信したブロックデータをアナログ信号に変換する無線受信機において、
受信したブロックデータをＤ／Ａ変換してアナログ信号を出力する変換部と、
受信したブロックデータの異常の有無を検知する検知部と、
制御部とを備えており、
この制御部が、
受信したブロックデータに異常があると検知部によって判断された場合、
ブロックデータの隙間時間に、受信に使用するアンテナを切り替えるように設計されていることを特徴としている。
【００２８】
この第２受信機も、第１受信機と同様に、サラウンドシステムに適用されるような、ブロックデータを用いたディジタルワイアレス通信を行うために用いられるものであり、第１受信機と同様の変換部・検知部を有している。
また、この第２受信機も、受信したブロックデータに異常があると検知部によって判断された場合に、受信動作を制御する制御部を備えている。
【００２９】
この制御部は、ブロックデータに異常のある場合、受信に使用するアンテナを切り替えるものである。
そして、特に、第２受信機では、制御部が、このようなアンテナの切り替えを、ブロックデータの隙間時間に実施するようになっている。
これにより、第２受信機では、アンテナの切り替えによるブロックデータの破壊を回避できる。このため、アンテナの切り替えによるノイズの発生を、確実に防止することが可能となっている。
【００３０】
また、この制御部は、受信したブロックデータに異常があると検知部によって判断された場合、まず、変換部によるＤ／Ａ変換を停止し、次に、ブロックデータの隙間時間に、受信に使用するアンテナを切り替えるように設計されていることが好ましい。
さらに、制御部は、アンテナを切り替えた後、変換部によるＤ／Ａ変換を再開するように設定されていることが好ましい。
【００３１】
この構成では、制御部は、異常のあるブロックデータを受信したとき、すぐにＤ／Ａ変換を停止することが可能となる。これにより、異常のあるブロックデータを受信してから隙間時間の訪れるまでの間についても、ノイズの出力を確実に防止することが可能となっている。
また、この構成では、制御部は、変換部によるＤ／Ａ変換の停止を、ブロックデータの隙間時間内に行ってもよい。
【００３２】
また、制御部は、変換部によるＤ／Ａ変換の再開についても、ブロックデータの隙間時間に行ってもよい。
この構成では、アンテナの切り替え直後、ブロックデータを先頭からＤ／Ａ変換できる。このため、このブロックデータを正常にアナログ変換できる。
【００３３】
また、本発明の第１の無線受信方法（第１受信方法）は、
外部から送信されたディジタルのブロックデータを、複数のアンテナのいずれかを用いて受信し、受信したブロックデータをアナログ信号に変換する無線受信方法において、
受信したブロックデータにおける異常の有無を検知する検知工程と、
受信したブロックデータをＤ／Ａ変換してアナログ信号を出力する変換工程と、
受信したブロックデータに異常があると判断された場合に、受信動作を制御する制御工程とを含んでおり、
この制御工程では、
変換部によるＤ／Ａ変換を停止する変換停止工程と、
受信に使用するアンテナを切り替える切り替え工程と、
変換部によるＤ／Ａ変換を再開する変換再開工程とが、この順で実施される方法である。
【００３４】
また、本発明の第２の無線受信方法（第２受信方法）は、
外部から送信されたディジタルのブロックデータを、複数のアンテナのいずれかを用いて受信し、受信したブロックデータをアナログ信号に変換する無線受信方法において、
受信したブロックデータにおける異常の有無を検知する検知工程と、
受信したブロックデータをＤ／Ａ変換してアナログ信号を出力する変換工程と、
受信したブロックデータに異常があると判断された場合に、受信動作を制御する制御工程とを含んでおり、
この制御工程では、
ブロックデータの隙間時間に、受信に使用するアンテナを切り替える切り替え工程が実施される方法である。
【００３５】
これらの第１および第２受信方法は、上記した第１受信機および第２受信機において使用されている方法である。
従って、これらの方法を用いてブロックデータを受信することで、アンテナ切り替えに起因するノイズの発生を、確実に防止できる。
【発明の効果】
【００３６】
以上のように、本発明の第１の無線受信機（第１受信機）は、
複数のアンテナを備え、外部から送信されたディジタルのブロックデータをいずれかのアンテナを用いて受信し、受信したブロックデータをアナログ信号に変換する無線受信機において、
受信したブロックデータをＤ／Ａ変換してアナログ信号を出力する変換部と、
受信したブロックデータにおける異常の有無を検知する検知部と、
制御部とを備えており、
この制御部は、
受信したブロックデータに異常があると検知部によって判断された場合、
まず、変換部によるＤ／Ａ変換を停止し、
次に、受信に使用するアンテナを切り替え、
その後、変換部によるＤ／Ａ変換を再開する、ように設定されている構成である。
【００３７】
第１受信機は、「受信したブロックデータに異常がある」と検知部によって判断された場合に、受信動作を制御する制御部を備えている。
そして、この制御部は、ブロックデータに異常のある場合、まず、変換部によるＤ／Ａ変換を停止するようになっている。
次に、制御部は、受信に使用するアンテナを切り替え、その後、変換部によるＤ／Ａ変換を再開するように設定されている。
【００３８】
このように、第１受信機では、アンテナを切り替えるときには、Ｄ／Ａ変換を停止するようになっている。これにより、アンテナの切り替え時に生じるブロックデータの破壊によってノイズが発生しても、このノイズの出力を確実に防止することが可能となっている。
【００３９】
また、本発明の第２の無線受信機（第２受信機）は、
複数のアンテナを備え、いずれかのアンテナを用いて外部から送信されたディジタルのブロックデータを受信し、受信したブロックデータをアナログ信号に変換する無線受信機において、
受信したブロックデータをＤ／Ａ変換してアナログ信号を出力する変換部と、
受信したブロックデータの異常の有無を検知する検知部と、
制御部とを備えており、
この制御部が、
受信したブロックデータに異常があると検知部によって判断された場合、
ブロックデータの隙間時間に、受信に使用するアンテナを切り替えるように設計されている構成である。
【００４０】
この第２受信機は、受信したブロックデータに異常があると検知部によって判断された場合、受信に使用するアンテナを切り替えるものである。
そして、特に、第２受信機では、制御部が、このようなアンテナの切り替えを、ブロックデータの隙間時間に実施するようになっている。
【００４１】
これにより、第２受信機では、アンテナの切り替えによるブロックデータの破壊を回避できる。このため、アンテナの切り替えによるノイズの発生を、確実に防止することが可能となっている。
【発明を実施するための最良の形態】
【００４２】
本発明の一実施形態について説明する。
本実施の形態にかかるサラウンドシステム（本システム）は、フロント側ユニットおよびリア側ユニットを備えている。
そして、これらの両ユニット間で、オーディオ信号（音声信号）をディジタルワイアレス方式で送受信し、両ユニットのスピーカーからオーディオ音声（オーディオ信号に応じた音声）を出力するものである。
【００４３】
図２は、本システムの構成を示す説明図である。
この図に示すように、本システムは、フロント側ユニットＦＵおよびリア側ユニットＲＵを備えている。
【００４４】
フロント側ユニットＦＵは、送信機１１，オーディオ信号生成部１２，ボリューム調整部１３，アンプ１４，フロントスピーカー群１５を有している。
オーディオ信号生成部１２は、ＣＤ（compact disc）やＤＶＤ（digital versatile disk），ＭＤ（mini disk）などの媒体から、アナログのオーディオ信号（Ａオーディオ信号）を生成するものである。
【００４５】
ボリューム調整部１３は、フロントスピーカー群１５から出力されるオーディオ音声のボリューム（音量）を、ユーザーの指示に従って調整するために、アンプ１４を制御するものである。
【００４６】
アンプ１４は、オーディオ信号生成部１２から出力されるＡオーディオ信号を、ボリューム調整部１３の制御に応じて増幅し、フロントスピーカー群１５に伝達するものである。
フロントスピーカー群１５は、アンプ１４から出力されるＡオーディオ信号からオーディオ音声を生成して外部に出力する、４つのスピーカーからなる音声表示器である。
【００４７】
また、送信機１１は、リア側ユニットＲＵに対して、ディジタル化したオーディオ信号（Ｄオーディオ信号）を送信するワイアレス送信機である。
すなわち、図２に示すように、送信機１１は、Ａ／Ｄ変換部２１，変調部２２，発振部２３，周波数制御部２４，送信アンテナＡ１を備えている。
【００４８】
Ａ／Ｄ変換部２１は、オーディオ信号生成部１２からＡオーディオ信号を入力し、この信号をディジタルのオーディオ信号（Ｄオーディオ信号）に変換するものである。
変調部２２は、Ａ／Ｄ変換部２１によって生成されたＤオーディオ信号を変調して、ブロックデータを生成するものである。
【００４９】
発振部２３は、ブロックデータを、所定の周波数で、送信アンテナＡ１を介してリア側ユニットＲＵに無線送信（ワイアレス送信）するものである。
【００５０】
周波数制御部２４は、発振部２３の送信周波数を制御するものである。
また、送信機１１，オーディオ信号生成部１２，ボリューム調整部１３，アンプ１４は、図示しない電源から電源供給を受けるように設計されている。
【００５１】
ここで、ブロックデータについて説明する。
図３は、発振部２３の送信するブロックデータの構成を示す説明図である。
ブロックデータ（ＢＤ１〜ＢＤ３）は、Ｄオーディオ信号を所定のデータ量（通信量）毎にまとめたものである。
そして、この図に示すように、発振部２３は、ブロックデータ（ＢＤ１〜ＢＤ３）を、隙間時間Ｔｇの間隔を開けながら、所定周期で連続的に送信するように設計されている。
【００５２】
一方、図２に示すように、リア側ユニットＲＵは、受信機１６，ボリューム調整部１７，アンプ１８，リアスピーカー群１９を有している。
【００５３】
受信機１６は、フロント側ユニットＦＵの送信機１１から出力されたブロックデータを受信し、アナログのオーディオ信号（Ａオーディオ信号）に変換して出力するワイアレス受信機である。
なお、この受信機１６の構成については、後に詳細に説明する。
【００５４】
ボリューム調整部１７は、リアスピーカー群１９から出力されるＡオーディオ音声のボリュームを、ユーザーの指示に従って調整するために、アンプ１８を制御するものである。
【００５５】
アンプ１８は、受信機１６から出力されるＡオーディオ信号を、ボリューム調整部１７の制御に応じて増幅し、リアスピーカー群１９に伝達するものである。
リアスピーカー群１９は、アンプ１８から出力されるＡオーディオ信号からオーディオ音声を生成して外部に出力する、２つのスピーカーからなる音声表示器である。
また、受信機１６，ボリューム調整部１７，アンプ１８は、図示しない電源から電源供給を受けている。
【００５６】
ここで、受信機１６の構成について詳細に説明する。
図１は、受信機１６の構成を示す説明図である。
この図に示すように、受信機１６は、２本の受信アンテナＡ２・Ａ３を備えた、ダイバーシティ方式のワイアレス受信機である。
そして、この受信機１６は、アンテナ切り替え部３１，受信部３２，周波数制御部３３，復調部３４，Ｄ／Ａ変換部３５，発信部３６，エラー確認部３７，アンテナ制御部３８を有している。
【００５７】
アンテナ切り替え部３１は、後述するアンテナ制御部３８の制御により、ブロックデータの受信に使用するアンテナ（アンテナＡ２あるいはアンテナＡ３）を選択するものである。
受信部３２は、アンテナ切り替え部３１によって選択されたアンテナから、所定周波数のクロック信号（受信クロック信号）に基づいて、ブロックデータを受信するものである。
【００５８】
周波数制御部３３は、受信クロック信号を生成して受信部３２に出力するものである。
復調部３４は、受信部３２によって受信されたブロックデータを復調し、シリアルのＤオーディオ信号を生成してＤ／Ａ変換部３５に出力するものである。
【００５９】
Ｄ／Ａ変換部（変換部）３５は、復調部３４から入力したＤオーディオ信号を、所定周波数のＤ／Ａ変換のクロック信号（Ｄ／Ａクロック信号）に基づいて、アナログのオーディオ信号（Ａオーディオ信号）に変換する。
そして、このＡオーディオ信号を、図２に示したボリューム調整部１７に出力するものである。
発信部３６は、Ｄ／Ａクロック信号を生成してＤ／Ａ変換部３５に出力するものである。
【００６０】
なお、Ｄ／Ａ変換部３５による変換によって生成されたＡオーディオ信号は、図２に示したフロント側ユニットＦＵのオーディオ信号生成部１２によって生成されたＡオーディオ信号と同様のものである。
【００６１】
また、上記した復調部３４は、復調するブロックデータに異常（破損箇所）があるか否か（ブロックデータが正規の信号であるか否か）を判断する機能（検知部としての機能）も有している。そして、異常があると判断した場合、復調部３４は、エラー信号（パルス信号）ＥＲを生成して、エラー確認部３７に送信するようになっている。
【００６２】
エラー確認部（制御部）３７は、復調部３４からエラー信号ＥＲを受けた場合、発信部３６を制御して、Ｄ／Ａ変換部３５に対するＤ／Ａクロック信号の出力を停止させるものである。
これにより、Ｄ／Ａ変換部３５はホールド(休止)状態となり、Ａオーディオ信号の出力が停止することとなる。
【００６３】
また、エラー確認部３７は、Ｄ／Ａクロック信号の出力を停止させた後、アンテナ制御部３８に対し、アンテナ切り替え信号ＡＣを出力する。
アンテナ制御部（制御部）３８は、エラー確認部３７からアンテナ切り替え信号ＡＣを受けたときに、アンテナ切り替え部３１を制御（コントロール）して、受信に使用するアンテナを切り替えさせるものである。
【００６４】
また、復調部３４は、エラー信号ＥＲの送信後、新たに受信したブロックデータに異常がないことを確認したとき、復帰信号ＲＥを生成してエラー確認部３７に送信する。そして、この復帰信号ＲＥを受けたエラー確認部３７は、発信部３６を制御して、Ｄ／Ａ変換部３５に対するＤ／Ａクロック信号の出力を再開させるようになっている。
【００６５】
また、復調部３４は、いったんエラー信号ＥＲを送信した後、復帰信号ＲＥの送信前に異常のあるブロックデータを受信した場合には、エラー信号ＥＲを再送信しないように設計されている。
【００６６】
なお、復調部３４については、正常なブロックデータを受信するまでエラー信号ＥＲを出力し続ける（エラー信号ＥＲのパルスを出力し続ける）ように設計することで、復帰信号ＲＥを出力しない構成とすることも可能であるが、これについては後述する。
【００６７】
ここで、送信機１１の動作について説明する。
送信機１１において、ブロックデータを受信するアンテナとしてアンテナＡ２が選択されているとする。
この場合、アンテナＡ２によって受信されたブロックデータに異常のない場合には、受信部３２，復調部３４，Ｄ／Ａ変換部３５が、ブロックデータからＡオーディオ信号を生成し、ボリューム調整部１７に送信する。
【００６８】
これにより、本システムによって、フロント側ユニットＦＵとリア側ユニットＲＵとの計６個のスピーカー１５・１９から、正常なオーディオ音声を出力することが可能となる。
【００６９】
ここで、本システムのようなディジタルワイアレス方式での信号送受信では、(1)他の電子機器から発生する輻射電波を送信機１１によって受信してしまう
(2)フロント側ユニットＦＵの送信機１１から出力されたブロックデータが、壁，天井，屋根などにある周囲の金属部等により反射・吸収される
のような原因により、ブロックデータが破壊された状態（ブロックデータに異常の発生した状態）となることがある。
【００７０】
このような異常のあるブロックデータをアンテナＡ２によって受信した場合、復調部３４は、ブロックデータの異常を検知して、エラー信号ＥＲをエラー確認部３７に伝達する。
【００７１】
これを受けて、エラー確認部３７は、発信部３６から出力されているＤ／Ａクロック信号を停止させ、Ｄ／Ａ変換部３５の動作（Ｄ／Ａ変換）を休止してＡオーディオ信号の出力を中断する。
これにより、リア側ユニットＲＵにおけるリアスピーカー群１９からの音声出力が停止する。
【００７２】
また、Ｄ／Ａクロック信号を停止させた後、エラー確認部３７は、アンテナ切り替え信号ＡＣをアンテナ制御部３８に伝達する。この信号ＡＣを受けて、アンテナ制御部３８が、アンテナ切り替え部３１を制御して、受信するアンテナをアンテナＡ３に切り替える。
【００７３】
なお、ダイバーシティ方式では、ブロックデータ信号の受信中にアンテナを切り替えると、一塊（ひとかたまり）のブロックデータを寸断してしまうことになり、ブロックデータが破壊される。
しかし、上記したように、復調部３４は、いったんエラー信号ＥＲを送信してからは、復帰信号ＲＥを送信するまで、再度のエラー信号ＥＲを送信しないように設計されている。
【００７４】
従って、受信エラーの直後でのアンテナの切り替えによって、ブロックデータに異常が発生した場合には、復調部３４がエラー信号ＥＲを再出力することはない。このため、受信機１６では、エラー信号ＥＲに応じてアンテナが切り替わった後、正常なブロックデータを受信するまで、アンテナの再切り替えは行われないこととなる。
【００７５】
また、受信に使用するアンテナをアンテナＡ３に切り替えた後、正常なブロックデータを受信した場合、復調部３４は、復帰信号ＲＥをエラー確認部３７に伝達する。
これを受けて、エラー確認部３７は、発信部３６を制御して、Ｄ／Ａ変換部３５に対するＤ／Ａクロック信号の出力を再開する。これにより、Ｄ／Ａ変換部３５は、復調部３４から伝達されたシリアルのＤオーディオ信号に対するＤ／Ａ変換を再開し、Ａオーディオ信号の出力を行うこととなる。
【００７６】
以上のように、本システムにおけるフロント側ユニットＦＵの受信機１６では、復調部３４が「受信したブロックデータに異常がある」と判断した場合に、エラー確認部３７が、受信動作を制御するようになっている。
すなわち、この場合、エラー確認部３７は、まず、Ｄ／Ａ変換部３５によるＤ／Ａ変換を停止するようになっている。
次に、エラー確認部３７が、アンテナ制御部３８，アンテナ切り替え部３１を介して受信に使用するアンテナを切り替え、その後、Ｄ／Ａ変換部３５によるＤ／Ａ変換を再開するように設定されている。
【００７７】
このように、受信機１６では、アンテナを切り替えるときには、Ｄ／Ａ変換を停止するようになっている。これにより、アンテナの切り替え時に生じるブロックデータの破壊によってノイズが発生しても、このノイズの出力を確実に防止することが可能となっている。
【００７８】
なお、アンテナの切り替え後にＤ／Ａ変換を再開すると、切り替え後に受信した異常のあるブロックデータのために、一瞬だけ（再びＤ／Ａ変換を停止するまでの間だけ）、ノイズを発生してしまうことも考えられる。
【００７９】
そこで、受信機１６では、「受信したブロックデータに異常がみられない」と復調部３４によって判断されたとき（復帰信号ＲＥの出力されたとき）に、Ｄ／Ａ変換部３５が、Ｄ／Ａ変換部３５によるＤ／Ａ変換を再開するように設定されている。これにより、アンテナの切り替えに後に発生する上記のようなノイズを、確実に防止できる。
【００８０】
また、従来技術欄において記載したように、ブロックデータの受信途中にアンテナの切り替えを行った場合、ブロックデータを破壊してしまうこととなる。従って、この場合、受信したブロックデータに異常があると判断され、再度もう一方のアンテナに切り替える、というシーソー状態の起こることもある。
【００８１】
ここで、このようなシーソー状態は、アンテナの切り替えが偶然にブロックデータ間で行われるときまで継続される。従って、この状態は、非常に長い時間（例えば０．数秒〜数秒）の停滞状態を招来する可能性がある。
【００８２】
そこで、受信機１６では、アンテナをいったん切り替えた後、正常なブロックデータを受信するまで、復調部３４がエラー信号ＥＲを送信しないようになっている。
従って、受信機１６では、異常のあるブロックデータを受信してから、正常な（異常のない）ブロックデータを受信するまでの間、アンテナを１回だけ切り替えることとなる。
これにより、１度のアンテナ切り替えによってブロックデータを破壊してしまっても、この破壊に伴うアンテナの再切り替えを防止できる。
【００８３】
従って、受信機１６では、アンテナ切り替えによって破損したデータの直後に送られてきたブロックデータの受信中では、アンテナ切り替えを行わない。従って、このブロックデータに異常のない場合には、Ｄ／Ａ変換部３５によるＤ／Ａ変換が再開されることとなる。
【００８４】
このように、受信機１６では、上記のようなシーソー状態（アンテナの切り替え連鎖状態）を回避できるので、Ｄ／Ａ変換部３５によるＤ／Ａ変換を迅速に再開することが可能となる。このため、リアスピーカー群１９による音声出力を迅速に再開できるようになっている。
【００８５】
なお、図１に示した受信機１６では、復調部３４は、いったんエラー信号ＥＲを送信してからは、復帰信号ＲＥを送信するまで、再度のエラー信号ＥＲを送信しない、としている。
しかしながら、これに限らず、復調部３４を、異常のあるブロックデータを受信したとき、復帰信号ＲＥを送信したか否かによらず、いつでも、エラー信号ＥＲをエラー確認部３７に送信するように設定してもよい。
【００８６】
この場合、アンテナの切り替えは、切り替えのタイミングが隙間時間Ｔｇに重なるまで、連続的に行われることとなる（上記したシーソー状態が生じる）。
しかしながら、この場合でも、Ｄ／Ａ変換部３５の動作を中止しているため、リアスピーカー群１９からノイズを発生してしまうことを確実に防止できる。
【００８７】
また、図１に示した受信機１６では、「エラー確認部３７が、エラー信号ＥＲを受けてＤ／Ａクロック信号を停止した後、アンテナ制御部３８にアンテナ切り替え信号ＡＣを送信する。そして、アンテナ制御部３８が、アンテナ切り替え信号ＡＣを受信したとき、アンテナ切り替え部３１を制御して、受信に使用するアンテナを切り替えさせる」、としている。
すなわち、図１の構成では、アンテナの切り替えタイミングは、エラー信号ＥＲの出力の直後（異常のあるブロックデータを受信した直後）、となる。
【００８８】
しかしながら、アンテナの切り替えタイミングは、これに限らない。
図４は、受信機１６の他の構成を示す説明図である。
この図に示すように、この受信機１６は、図１に示した構成において、新たに隙間判定部３９を備えた構成である。
【００８９】
この隙間判定部（制御部）３９は、復調部３４からＤ／Ａ変換部３５に向けて送信されるシリアルのＤオーディオ信号を入力し、この信号に基づいて、受信しているブロックデータの隙間時間Ｔｇの訪れるタイミング（１つのブロックデータの終わるタイミング）を検知（推測）するものである。
そして、隙間判定部３９は、隙間時間Ｔｇ中に、アンテナ制御部３８に対し、その旨を示す隙間信号Ｓを送信する。
【００９０】
また、図４の構成では、アンテナ制御部３８は、エラー確認部３７からアンテナ切り替え信号ＡＣを受けた後、隙間判定部３９から隙間信号Ｓを受信したときに、アンテナ切り替え部３１を制御して、受信に使用するアンテナを切り替えさせるように設計されている。
【００９１】
従って、図４の構成では、異常のあるブロックデータがアンテナＡ２によって受信された場合、エラー確認部３７に対し、復調部３４からエラー信号ＥＲが送られる。
そして、エラー信号ＥＲを受信したエラー確認部３７により、発信部３６からのＤ／Ａクロック信号が停止され、Ｄ／Ａ変換部３５の動作が中断する。
また、このとき、エラー確認部３７を介して、アンテナ切り替え信号ＡＣが、アンテナ制御部３８に伝達される。
【００９２】
その後、隙間時間Ｔｇとなったとき、アンテナ制御部３８に対し、隙間判定部３９から隙間信号Ｓが送信される。
さらに、この隙間信号Ｓを受けて、隙間判定部３９が、アンテナ切り替え部３１を制御して、受信に使用するアンテナをアンテナＡ３に切り替えさせる。
そして、アンテナが切り替わった後、正常なブロックデータを受信したときに、復調部３４は、復帰信号ＲＥをエラー確認部３７に伝達し、Ｄ／Ａ変換部３５によるＤ／Ａ変換を再開させる。
【００９３】
このように、図４の構成では、アンテナの切り替えを、隙間時間Ｔｇにおいて行うようになっている。従って、アンテナの切り替えによるブロックデータの破壊を、確実に防止できる。
このため、アンテナの切り替えによって、上記した(1)(2)のようなトラブルを解決できた場合、リアスピーカー群１９による音声出力を迅速に再開できるようになっている。
【００９４】
また、図４に示した構成では、「エラー確認部３７が、復調部３４からエラー信号ＥＲを受信したときに、発信部３６によるＤ／Ａクロック信号の出力を停止させる」、としている。
しかしながら、これに限らず、エラー確認部３７を、エラー信号ＥＲの受信後、隙間時間Ｔｇの訪れるまで、発信部３６によるＤ／Ａクロック信号を停止させない構成としてもよい。
【００９５】
この構成は、例えば、図５に示すように、エラー確認部３７に対し、隙間判定部３９の出力する隙間信号Ｓを入力することで実現できる。この場合、エラー確認部３７は、エラー信号ＥＲの受信後、隙間信号Ｓを入力したときに、発信部３６のＤ／Ａクロック信号の出力を止めることとなる。
【００９６】
この構成では、エラー信号ＥＲの受信後から隙間時間Ｔｇの訪れるまでの非常に短い期間、異常のあるブロックデータを再生することとなる。従って、この期間だけは、ノイズの発生する可能性がある。
しかしながら、この期間は非常に短いため、ノイズによる苦痛をユーザーに与える可能性はごく少ない。
【００９７】
また、図４に示した構成では、隙間時間Ｔｇ内でアンテナが切り替えられるため、アンテナの切り替えによるブロックデータの破壊を防止できる。また、アンテナを切り替えることで、上記の(1)(2)に示した原因によるブロックデータの破壊（受信エラー）は解決できると考えられる。
【００９８】
そこで、図４の構成において、エラー確認部３７によるＤ／Ａクロック信号の停止を実施しない構成としてもよい。
この場合、受信エラーがあっても、Ｄ／Ａ変換部３５の動作は止まらない。しかしながら、上記のように、受信エラーについてはアンテナの切り替えによって解決できると考えられるため、ノイズの発生する可能性は低いと見積もられる。
【００９９】
また、図１，図４，図５に示した構成では、「アンテナが切り替わった後、正常なブロックデータを受信したときに、復調部３４が、復帰信号ＲＥをエラー確認部３７に伝達し、Ｄ／Ａ変換部３５によるＤ／Ａ変換を再開させる」、としている。
しかしながら、図５の構成において、エラー確認部３７は、復帰信号ＲＥの受信後、隙間信号Ｓを受信したときに、Ｄ／Ａ変換部３５によるＤ／Ａ変換を再開させるように設計されていてもよい。
【０１００】
この場合、アンテナの切り替えとＤ／Ａ変換部３５の動作再開とを、ともに隙間時間Ｔｇ内に行うこととなる。
従って、図４の構成と同様に、アンテナの切り替えによるブロックデータの破壊を、確実に防止できる。このため、リアスピーカー群１９による音声出力を迅速に再開できる。
さらに、アンテナの切り替え直後のブロックデータを先頭からＤ／Ａ変換できるため、ブロックデータを正常にアナログ再生できる。
【０１０１】
さらに、上記のような復帰信号ＲＥを利用しない構成としてもよい。
すなわち、この場合、復調部３４は、異常のあるブロックデータを検知したときから、正常なブロックデータを検知するまで、エラー確認部３７に対してエラー信号ＥＲを出力し続ける（エラー信号ＥＲのパルスを立ち上げたままとする）。
【０１０２】
そして、エラー確認部３７は、エラー信号ＥＲを受信しているときには、Ｄ／Ａクロック信号の出力（Ｄ／Ａ変換部３５によるＤ／Ａ変換）を止める一方、エラー信号ＥＲを受信しなくなったときに、Ｄ／Ａクロック信号の出力を再開するように設計される。
また、エラー確認部３７は、エラー信号ＥＲを受信したとき（エラー信号ＥＲのパルスの立ち上がり時）に、アンテナ制御部３８に対してアンテナ切り替え信号ＡＣを送信する。
これにより、復帰信号ＲＥを用いずに、図１，図４，図５に示した構成と同様の効果を得られる。
【０１０３】
また、エラー信号ＥＲを短いパルスとしたままでも（エラー信号ＥＲを出力し続けなくとも）、復帰信号ＲＥを用いない構成を実現することは可能である。
すなわち、この場合、図５に示す受信機１６において、復調部３４は、異常のあるブロックデータを検知したときエラー信号（短いパルス信号）ＥＲを出力する一方、アンテナが切り替わった後、正常なブロックデータを受信しても、復帰信号ＲＥを送信しない。
また、エラー確認部３７は、図４の構成と同様に、復調部３４からエラー信号ＥＲを受信したときに、発信部３６によるＤ／Ａクロック信号の出力を停止させる。
【０１０４】
そして、エラー確認部３７は、隙間判定部３９から隙間信号Ｓを入力したとき（アンテナ切り替え信号ＡＣの出力と同時に）、発信部３６によるＤ／Ａクロック信号の出力を再開し、Ｄ／Ａ変換部３５の動作をリスタートさせる。
【０１０５】
この構成では、アンテナの切り替えとＤ／Ａ変換部３５の動作再開とを、ともに隙間時間Ｔｇ内に行うこととなる。
従って、図４の構成と同様に、アンテナの切り替えによるブロックデータの破壊を、確実に防止できる。このため、アンテナの切り替えによって、上記した(1)(2)のようなトラブルを解決できた場合、リアスピーカー群１９による音声出力を迅速に再開できる。
【０１０６】
さらに、アンテナの切り替え直後のブロックデータを先頭からＤ／Ａ変換できるため、ブロックデータを正常にアナログ再生できる。
また、復調部３４による復帰信号ＲＥの出力を必要としないので、復調部３４の構造を簡略化できる。
【０１０７】
また、復帰信号ＲＥを必要としない受信機１６における他の例として、図６に示す構成を挙げられる。
この図に示す受信機１６は、図５に示した構成において、エラー確認部３７に、タイマー（タイマー制御部）４０を備えた構成である。
【０１０８】
この構成でも、復調部３４は、アンテナが切り替わった後、正常なブロックデータを受信しても、復帰信号ＲＥを送信しない。
また、エラー確認部３７は、エラー信号ＥＲの受信後、隙間信号Ｓを入力したときに、発信部３６のＤ／Ａクロック信号の出力を止めるように設計されている。
すなわち、この構成では、隙間時間Ｔｇの訪れたときに、受信に使用するアンテナが切り替えられるとともに、Ｄ／Ａクロック信号が停止されてＤ／Ａ変換部３５の動作が止まることとなる。
【０１０９】
また、タイマー（制御部）４０は、「エラー確認部３７が、発信部３６のＤ／Ａクロック信号を止めたときからの経過時間」を計測するものである。そして、タイマー４０は、隙間時間Ｔｇより短い所定の復帰時間が経過したとき、エラー確認部３７を制御して、発信部３６によるＤ／Ａクロック信号の出力を再開させる機能を有している。
【０１１０】
この構成でも、アンテナの切り替えとＤ／Ａ変換部３５の動作再開とを、ともに隙間時間Ｔｇ内に行うこととなる。
従って、図４の構成と同様に、アンテナの切り替えによるブロックデータの破壊を、確実に防止できる。このため、アンテナの切り替えによって、上記した(1)(2)のようなトラブルを解決できた場合、リアスピーカー群１９による音声出力を迅速に再開できる。
【０１１１】
さらに、アンテナの切り替え直後のブロックデータを先頭からＤ／Ａ変換できるため、ブロックデータを正常にアナログ再生できる。
また、復調部３４による復帰信号ＲＥの出力を必要としないので、復調部３４の構造を簡略化できる。
【０１１２】
また、復帰信号ＲＥを用いることを回避するために、図１や図４の構成において、アンテナが切り替えられた後に、エラー確認部３７がＤ／Ａ変換部３５の動作を再開する、という構成としてもよい。この場合も、受信エラーについてはアンテナの切り替えによって解決できると考えられるため、再開後にノイズの発生する可能性は低いと見積もられる。
【０１１３】
また、本実施の形態では、エラー確認部３７がエラー信号ＥＲを受信したとき、アンテナ制御部３８にアンテナ切り替え信号ＡＣを出力するとしている。しかしながら、これに限らず、エラー確認部３７は、アンテナ切り替え信号ＡＣの出力に変えて、受信したエラー信号ＥＲをアンテナ制御部３８に転送するように構成されていてもよい。
【０１１４】
また、図４〜図６に示したアンテナ制御部３８は、例えば、ＡＮＤ回路から構成することが可能である。
この場合、エラー確認部３７からアンテナ制御部３８に出力されるアンテナ切り替え信号ＡＣのパルス幅（出力期間）は、ブロックデータの１周期分の長さ（１つのブロックデータ分の長さに隙間時間Ｔｇを加えた期間）とすることが好ましい。
【０１１５】
また、本実施の形態では、図２に示したオーディオ信号生成部１２が、ＣＤやＤＶＤ，ＭＤなどの媒体からオーディオ信号を生成する、としている。しかしながら、これに限らず、オーディオ信号生成部１２は、通信回線（インターネットやＬＡＮなど）から入力したデータ、あるいは、衛星放送や地上波放送から得られるデータに基づいて、オーディオ信号を生成するように設計されていてもよい。
【０１１６】
また、本実施の形態では、フロントスピーカー群１５のスピーカー数を４つ、リアスピーカー群１９のスピーカー数を２つとしている。しかしながら、スピーカー群１５・１９におけるスピーカーの数は、いくつでもかまわない。
【０１１７】
また、本実施の形態では、本システムのフロント側ユニットＦＵに送信機１１を備え、リア側ユニットＲＵに受信機１６を備えるとしている。
しかしながら、送信機１１，受信機１６については、本システムのようなサラウンドシステムだけに用いられるものではない。
送信機１１，受信機１６は、ディジタルワイアレス通信を行うシステムであれば、どのような通信システムにも適用できる。
【０１１８】
また、本実施の形態では、受信機１６が２本のアンテナＡ２・Ａ３を有するとしている。しかしながら、これに限らず、受信機１６に３本以上のアンテナを備え、これらを順番に使用する構成としてもよい。
【０１１９】
また、従来、ディジタルワイアレス方式で信号を送受信する場合、基本的に、送信機側にＡ／Ｄコンバーター設け、外部アナログ信号を入れディジタル化し、その信号をディジタル方式で送信する（データはブロックデータとしてシリアル送信）。受信機側はディジタル受信（データはブロックデータとしてシリアル受信）された信号をＤ／Ａ変換する事でアナログ信号に復元される。一般的にディジタルワイアレス方式で信号を受信する場合、他の電子機器の輻射や、送信部から送られた送信信号が壁、天井、屋根、周囲の金属部等により反射、吸収が起こり、正常に受信できない場合が発生する。その為、受信機側に複数のアンテナ設け、外部の影響等で受信エラー発生したら別のアンテナで受信するダイバーシティ方式(アンテナ切替方式)が取られている場合が多い。ここで問題になるのが、受信時データエラー検知し、ダイバーシティアンテナを切り替える時、ブロックデータ信号を受信している時に、アンテナを切り替えると、ブロックデータの途中で切り替えてしまい一塊になったブロックデータを寸断し破壊する事になり、正常な信号受信できなくなり、信号出なかったり、ノイズ等の異常音発生したり、又はダイバーシティアンテナ切り替え後のブロックデータが壊れている為、又受信エラーと判定し、再度もう一方のアンテナに切り替えると言うシーソー状態が起こる。
このシーソー状態に陥ると、受信信号のディジタル信号をアナログ信号に変換すると、信号が破壊されている為、Ｄ／Ａ変換時、オーディオ出力は音が出なかったりノイズ等の異音が発生したりの不安定状態が発生する。受信改善に対する技術は特許文献１・２に記載されているが、本発明とはまったく異なるものである。
【０１２０】
従来では特に対策方法が無く、ダイバーシティ アンテナ切り替え時に受信ディジタル信号を寸断する事により一部破壊する為、正常な波形再生ができずノイズ等の異音が発生していた。この異音を消す為、アンテナ切り替え時、Ｄ／Ａ変換された再生アナログ信号をミュートする方法が有るが、これは、アンテナ切り替え時、必ずアナログ出力を無くす(ミュート動作)為、結果的に音が途切れる問題が有った。
【０１２１】
また、図４に示した隙間判定部３９は、ブロックデータタイミング判定／制御部、と表現することもできる。また、図４のアンテナ制御部３８を、ＡＮＤ／判定回路、と表現することもできる。また、隙間判定部３９は、ブロックデータの最終部で有るかを判定し、アンテナ制御部３８は単にＡＮＤ機能だけでなく、エラー確認部３７より入力されたエラー信号と隙間判定部３９より入力された判定結果に基づき、アンテナを切り替えるのか否か判定し、ブロックデータ間の隙間時間でアンテナ切り替え処理をするものであってもよい。つまり、ブロックデータの終わりを検出し、そのデータ終わり信号とディジタル信号のエラー検出が合致した時に、Ｄ／Ａコンバータのクロック発信を停止せしめ、その後、ダイバーシティアンテナの切り替えを行い、新しく受信した信号のエラー検出が無くなると、再度、Ｄ／ＡコンバータのＤ／Ａ変換手段を正常に作動させるものであってもよい。
【０１２２】
これにより、確実に、データブロック受信完了後、アンテナ切り替え動作行う為、アンテナ切り替え後のブロックデータの破壊を減らし、又、アンテナ切り替え後、破壊されたデータを受けても、Ｄ／Ａコンバータ動作停止状態により、入力信号を受け付けず、結果として、ノイズ等の異常音低減がはかれる。また、エラーない状態を認識してＤ／Ａコンバーター正常動作させる為、正常なデータ再現がはかれ、ノイズ等の異音が削減できる。
【０１２３】
また、図６の構成を、以下のように表現してもよい。すなわち、エラー信号があると、Ｄ／Ａコンバータの発信を止め、ダイバーシティアンテナ切り替え後、その次に送られてきたデータエラー検出の有無に関係なく、次のブロックデータが来るまでの隙間時間以内に、タイマー４０の制御にて、自動的にＤ／ＡコンバータのＤ／Ａ変換手段を正常に作動開始させる。これにより、アンテナ切り替え後は、次のブロックデータの先頭からデータ受け取り、ブロックデータの破壊を減らすことができる。つまり、アンテナ切り替え時は、Ｄ／Ａの発信止めているため、ブロックデータの破壊されたデータをＤ／Ａコンバータ入力されても、入力信号を受け付けず、また、アンテナ切り替え後、次のブロックデータ来るまでに、Ｄ／Ａコンバータのクロック再開させる為、ブロックデータを破壊することなく受信でき、結果として、ノイズ等の異常音低減がはかれる。
【０１２４】
また、本発明に関し、以下のように述べることもできる。すなわち、例えば外部の影響でデータブロックが影響受け、正常な信号で無いというエラーを検出すると、即反対側のアンテナに切り替えるのでなく(現状：この場合、ブロックデータ間でアンテナ切り替え作業完了すると良いが、ブロックデータ受信中に切り替えるとデータが寸断され、これによる異音等が発生)、そのため、最初のエラーが発生時にＤ／Ａコンバータ動作を停止させ、アナログ音化を停止させる。
【０１２５】
また、本発明では、エラーが発生するとすぐアナログ音声化を停止し、次のブロックデータ間でアンテナ切り替え操作を行い、受信エラーが無い場合、従来のような、偶然性の複数回の切り替えでなく、ブロックデータごとに処理する為、従来の何千分の１以下の短い時間で安定してアンテナを切り替え行い、異常音の発生時間も劇的に下げる。Ｄ／Ａコンバータの動作を止めるので、いくら変なデータがきても大きな異音としてアナログ化しないため、従来ミュート方式より優れている。又、クロックを止めるとすぐ音が休止し、ミュートのような時間遅れも無く、非常に早い速度で休止化可能。であるから、音の休止を完全に無くすのではなく、その欠落時間を非常に短くして、しかも安定してアンテナを切り替えられる。
【０１２６】
また、本発明を、以下の第１〜３サラウンドシステムとして表現することもできる。すなわち、第１サラウンドシステムは、オーディオディジタル信号を生成するオーディオ信号生成手段と、前記オーディオ信号を送信するオーディオ信号送信手段と、前記オーディオ信号送信信号を受信する複数のアンテナと、前記複数のアンテナの内一つのアンテナを選択するためのアンテナ切替手段と、前記選択されたアンテナからの前記オーディオ信号を波形整形する波形成形手段と、前記波形成形されたディジタル信号のエラー検出を行うエラー検出手段とを備える信号処理部と、前記信号処理部からのディジタル信号をアナログオーディオ信号に変換するＤＡ変換手段と、前記エラー検出手段の検出結果に応じて前記アンテナ切替手段を作動させるアンテナ切替作動手段と、前記ＤＡ変換手段からのアナログ信号をスピーカアウトするスピーカと、を備えるサラウンドシステムにて、前記エラー検出手段によってエラーが検出されたとき、前記ＤＡ変換手段の出力変化を停止せしめ、前記アンテナ切替手段を作動せしめ、その後、前記エラー検出手段の検出結果に応じて前記ＤＡ変換手段を正常に作動せしめる構成である。
【０１２７】
第１サラウンドシステムでは、ディジタル信号のエラー検出を行うエラー検出手段によって得られたエラー信号により、Ｄ／Ａコンバータのクロックを強制的に停止させ、Ｄ／Ａコンバーターの動作をホールド(休止)させてから、ダイバーシティアンテナ切り替え手段を動作させる。このことにより、Ｄ／Ａコンバーターの動作がホールド(クロックが停止しているため、出力は変化せず、クロック停止前の固定レベル)状態でアンテナ切り替わるため、アンテナ切り替え時、ディジタルのブロックデータの受信途中で信号寸断時のデータ破壊によるデータを受信して、Ｄ／Ａコンバータに入力しても、Ｄ／Ａコンバータはクロック停止のため入力信号受け付けず、結果として、ノイズ等の異常音低減がはかれる。
【０１２８】
また、第１サラウンドシステムでは、エラー発生にてD/A動作ストップ(休止)させるため、A/Dの出力は変化せず、アンテナが切り替えられエラーない状態になるとA/D動作が再開される。それまでの信号はないことになり、出力されない。
【０１２９】
また、第２サラウンドシステムは、第１サラウンドシステムにおいて、受信機側が送信機より送られてきたディジタルデータのブロックデータ終わりを検出し、そのデータ終わり検出信号とディジタル信号のエラー検出が合致した時に、Ｄ／Ａコンバータの出力変化を停止せしめ、ダイバーシティアンテナを切り替えを行い、エラー検出が無くなると正常にＤ／ＡコンバータのＤ／Ａ変換手段を正常に作動させる構成である。
【０１３０】
第２サラウンドシステムでは、ディジタル信号は、基本的に送信機から送られるブロックデータの塊を受信機が順次受け取り、Ｄ／Ａコンバータにてアナログ信号に変換しているが、このブロックデータの終わりを検出し、そのデータ終わり信号とディジタル信号のエラー検出が合致した時に、Ｄ／Ａコンバータのクロック発信を停止せしめ、その後、ダイバーシティアンテナの切り替えを行い、新しく受信した信号のエラー検出が無くなると(正常受信)、正常にＤ／ＡコンバータのＤ／Ａ変換手段を正常に作動させる。
【０１３１】
これにより、確実にデータブロック受信完了後、アンテナ切り替え動作行う為、アンテナ切り替え後のブロックデータの破壊を減らし、又、アンテナ切り替え後、破壊されたデータを受けても、Ｄ／Ａコンバータ動作停止状態により入力信号受け付けず、結果としてノイズ等の異常音低減がはかれる。また、第２さラウンドシステムでは、ブロックデータのエンドとエラーデータが起こった時に即D/Aコンバータのクロック停止し、ブロックデータ間のあいだにアンテナ切り替え完了させる。このため、ブロックデータ受信中のエラーだけではクロックを停止させない。
【０１３２】
また、第１サラウンドシステムでは、エラーが検出された時、Ｄ／Ａコンバータの出力停止せしめ、ダイバーシティアンテナを切り替えているが、第３サラウンドシステムは、アンテナ切り替え後、新しく受信した信号のエラー信号の有無にかかわらず、アンテナ切り替え時、Ｄ／Ａコンバータ停止させた後ある一定時間だけ経てば、その後自動的にＤ／ＡコンバータのＤＡ変換手段を正常に作動せしめる構成である。
【０１３３】
第２サラウンドシステムでは、ブロックデータの終わりを検出し、そのデータ終わり信号とディジタル信号のエラー検出が合致した時にＤ／Ａコンバータのクロック発信を停止せしめ、ダイバーシティアンテナの切り替えを行うが、第３サラウンドシステムでは、アンテナ切り替え後、次の受信信号エラー検出の有無に関係なく、次のブロックデータが来るまでの隙間時間以内に自動的にＤ／ＡコンバータのＤ／Ａ変換手段を正常に作動開始させる。
【０１３４】
この事により、アンテナ切り替え後は次のブロックデータの先頭からデータ受け取り、ブロックデータを、正しくD/Aコンバータにてアナログ再生することができる。つまり、アンテナ切り替え時はＤ／Ａの発信止めている為ブロックデータの破壊されたデータをＤ／Ａコンバータ入力されても入力信号受け付けず、又、アンテナ切り替え後、次のブロックデータ来るまでに、Ｄ／Ａコンバータのクロック再開させる為、ブロックデータを破壊することなく受信でき、結果として、ノイズ等の異常音低減がはかれる。また、基本的にアンテナ切り替え後、次のブロックデータのエラー有無に係わらず、次のブロックデータが送られてくるまでにD/Aコンバータのクロックを再開し、正常に音を再生するものである。
【０１３５】
ディジタルワイアレス通信にて音声信号を飛ばし受信する方法が普及してきたが、受信機に繋ぐパワーアンプの高出力化、ワイアレスシステムの高Ｓ／Ｎ化により、ダイバーシティ切り替え時のノイズ等の異音が目立つようになってきた。受信機にて受信信号のエラーを検出時、即ダイバーシティアンテナを切り替えていた為、アンテナ切り替えによりブロックデータを寸断する為、ブロックデータを壊しノイズ発生に繋がっていた。上記の第１〜３サラウンドシステムでは、ブロックデータを壊す可能性を減らし、その結果、ノイズ等の異常音発生を抑えることができる。
【産業上の利用可能性】
【０１３６】
本発明は、ディジタルワイアレス通信を行う通信システムに対し、良好に適用できるものである。
【図面の簡単な説明】
【０１３７】
【図１】本発明の一実施形態にかかるサラウンドシステムにおいて使用される、リア側ユニットの受信機の構成を示す説明図である。
【図２】上記したサラウンドシステムの構成を示す説明図である。
【図３】図２に示したシステムのフロント側ユニットから送信されるブロックデータの構成を示す説明図である。
【図４】図２に示したシステムにおいて用いることの可能な、他の受信機１６の構成を示す説明図である。
【図５】図２に示したシステムにおいて用いることの可能な、他の受信機１６の構成を示す説明図である。
【図６】図２に示したシステムにおいて用いることの可能な、他の受信機１６の構成を示す説明図である。
【符号の説明】
【０１３８】
１１        送信機
１２        オーディオ信号生成部
１３        ボリューム調整部
１４        アンプ
１５        フロントスピーカー群
１６        受信機
１７        ボリューム調整部
１８        アンプ
１９        リアスピーカー群
２１        Ａ／Ｄ変換部
２２        変調部
２３        発振部
２４        周波数制御部
３１        アンテナ切り替え部
３２        受信部
３３        周波数制御部
３４        復調部（検知部）
３５        Ｄ／Ａ変換部（変換部）
３６        発信部
３７        エラー確認部（制御部）
３８        アンテナ制御部（制御部）
３９        隙間判定部（制御部）
４０        タイマー（制御部）
Ａ１        送信アンテナ
Ａ２・Ａ３  受信アンテナ
ＡＣ        アンテナ切り替え信号
ＥＲ        エラー信号
ＦＵ        フロント側ユニット
ＲＥ        復帰信号
ＲＵ        リア側ユニット
Ｓ          隙間信号
Ｔｇ        隙間時間
【図１】
2006081035.tif 000003
【図２】
2006081035.tif 000004
【図３】
2006081035.tif 000005
【図４】
2006081035.tif 000006
【図５】
2006081035.tif 000007
【図６】
2006081035.tif 000008